(57)【要約】【課題】圧力気体の使用量を増大させることなく、フィルタを伝播する圧力気体によって生じる波をフィルタの先端側まで維持し、ダストの払い落とし効率が優れたバグ式集塵機を提供すること。【解決手段】筐体２の内部を区画壁３により区画し、区画した筐体２の一方を含塵空気導入室４、他方を浄化空気室５とし、区画壁３に形成したフィルタ取付穴に含塵空気導入室４に配置したフィルタ７の開口基端部を取り付け、フィルタ７内にフィルタ用ケージ１０を挿入するようにするとともに、フィルタ７内に圧力気体を噴出することによってフィルタ７に付着したダストを払い落とすようにする圧力気体導入手段Ｐを配設するようにしたバグ式集塵機において、フィルタ用ケージ１０に、フィルタ７の開口基端部側から先端側に向けて縮径するテーパ部Ｔａを形成する。【選択図】図３
2010099582.tif 000002
【特許請求の範囲】
【請求項１】
筐体の内部を区画壁により区画し、該区画した筐体の一方を含塵空気導入室、他方を浄化空気室とし、区画壁に形成したフィルタ取付穴に含塵空気導入室に配置したフィルタの開口基端部を取り付け、フィルタ内にフィルタ用ケージを挿入するようにするとともに、フィルタ内に圧力気体を噴出することによってフィルタに付着したダストを払い落とすようにする圧力気体導入手段を配設するようにしたバグ式集塵機において、前記フィルタ用ケージに、フィルタの開口基端部側から先端側に向けて縮径するテーパ部を形成したことを特徴とするバグ式集塵機。
【請求項２】
前記テーパ部を、フィルタの全長に亘って形成したことを特徴とする請求項１記載バグ式集塵機。
【請求項３】
前記テーパ部を、フィルタの開口基端部の近傍域に形成したことを特徴とする請求項１記載バグ式集塵機。
【請求項４】
前記フィルタに、フィルタの開口基端部側から先端側に向けて縮径するテーパ部を、フィルタ用ケージに形成したテーパ部の位置に合わせて形成したことを特徴とする請求項１、２又は３記載のバグ式集塵機。
【請求項５】
前記フィルタを、均一な径の円筒状に形成したことを特徴とする請求項１、２又は３記載のバグ式集塵機。
【発明の詳細な説明】
【技術分野】
【０００１】
本発明は、バグ式集塵機に関し、特に、フィルタに付着したダストを払い落とすための圧力気体導入手段を配設したバグ式集塵機の改良に関するものである。
【背景技術】
【０００２】
焼却炉や電気炉等から排出される排ガス中に含まれるダストを捕集するために、集塵機が広く採用されている。
ところで、この集塵機に用いられるフィルタには、ダストが付着することになるが、ダストが多量に付着し、通気抵抗（圧損）が所定値以上に上昇したとき、又は使用期間が一定時間経過した後に定期的に、ダストを払い落とすべく条件を選定してフィルタ内に圧力気体（例えば、圧縮空気等）を噴出させることによって、フィルタに付着したダストを払い落とすようにしている。
【０００３】
より具体的には、図６に示すように、フィルタに付着したダストを払い落とすようにする集塵機２０は、筐体２の内部を区画壁３により上下に区画し、下部を含塵空気導入室４、上部を浄化空気室５とし、含塵空気導入室４を塵埃発生源（図示省略）に接続し、浄化空気室５を吸引装置Ｆに接続するようになされている（例えば、特許文献１参照）。
そして、区画壁３に形成したフィルタ取付穴に含塵空気導入室４に配置したフィルタ２１の開口基端部を取り付け、フィルタ２１内にフィルタの形状を保持するために均一な径の円筒状に形成したフィルタ用ケージ２２を挿入するようにしている。
また、フィルタ２１内に圧力気体を噴出することによってフィルタ２１に付着したダストを払い落とすようにする圧力気体導入手段Ｐとして、圧力気体供給源６及び圧力気体供給用のバルブとして使用する開閉弁Ｖを介して接続されるインジェクターチューブ８を配備するようにしている。
さらに、インジェクターチューブ８には、フィルタ２１の開口基端部に対向する位置にノズル穴９を設けるようにしている。
【０００４】
インジェクターチューブ８は、その基端側を開閉弁Ｖの出口側と接続されており、常時は、開閉弁Ｖの入口側と連なる圧力気体供給源６とは遮断された状態で接続されている。
【０００５】
これにより、常時は、筐体２の浄化空気室５の下流側に接続した吸引装置Ｆの吸引力によりダスト発生源からのダストを含んだ空気は含塵空気導入室４に導かれ、ダストがフィルタ２１で濾過され、浄化後の空気が浄化空気室５を介して排出される。
そして、フィルタ２１にダストが付着し、通気抵抗が所定値に到達したとき、又は一定時間経過後に定期的に、開閉弁Ｖを短時間に開動作させ、圧力気体供給源６の圧力気体を瞬時にインジェクターチューブ８内に流出させ、インジェクターチューブ８に設けたノズル穴９から圧力気体をフィルタ２１内に噴出させ、フィルタ２１を含塵空気導入室４側に膨らませることによって、フィルタ２１に付着したダストを払い落とすようにしている（例えば、特許文献２参照）。
【０００６】
【特許文献１】特開２００７−１７５６３５号公報
【特許文献２】特開２００４−３５１３２３号公報
【発明の開示】
【発明が解決しようとする課題】
【０００７】
ところで、インジェクターチューブ８に設けたノズル穴９からフィルタ２１内に噴出される圧力気体は、フィルタ２１内をフィルタ２１の先端側に向かって流動しながら、圧力気体がフィルタ２１から含塵空気導入室４側に抜ける際に、圧力気体の運動エネルギがダスト払い落としのための波動エネルギに変換され、フィルタ２１の開口基端部側から先端側に向かって、フィルタ２１を波のように伝播する。
これによって、フィルタ２１が、開口基端部側から先端側に向かって順次含塵空気導入室４側に膨らみ、フィルタ２１に付着したダストが払い落とされる。
しかし、上記従来のバグ式集塵機では、フィルタ２１は、均一な径の円筒状をしており、また、常時の濾過運転時にフィルタ２１の形状を保持するためにフィルタ２１内に挿入されるフィルタ用ケージ２２もフィルタ２１と同様の形状をしているため、フィルタの軸心方向（図例では垂直下向き方向）に働く圧力気体の運動エネルギから、圧力気体がフィルタ２１から含塵空気導入室４側に抜ける際に得ることとなる波動エネルギを得にくい。このため、フィルタ２１に付着したダストの払い落としに大量の圧力気体が必要となり、エネルギの消費量が増大するという問題があった。
また、波動エネルギは、圧力気体がフィルタ２１から含塵空気導入室４側に抜ける際に生じるだけであり、ノズル穴９から噴出される圧力気体によって、フィルタ２１に生じる波の形状は、図８に示すように、フィルタ２１の開口基端部側では、波高Ｒ２は大きく、波長Ｌ２は短くなり、フィルタ２１の膨らみが大きくなってダストの払い落とし効率も高いものとなるが、フィルタ２１の先端側に向かうほど、波高Ｒ２’、Ｒ２”は小さく、波長Ｌ２’、Ｌ２”は長くなり、フィルタ２１の膨らみが小さくなってダストの払い落とし効率が低下するという問題があった。
【０００８】
本発明は、上記従来のバグ式集塵機の有する問題点に鑑み、フィルタ内に圧力気体を噴出することによってフィルタに付着したダストを払い落とすようにする圧力気体導入手段を配設するようにしたバグ式集塵機において、圧力気体の使用量を増大させることなく、フィルタを伝播する圧力気体によって生じる波をフィルタの先端側まで維持し、ダストの払い落とし効率が優れたバグ式集塵機を提供することを目的とする。
【課題を解決するための手段】
【０００９】
上記目的を達成するため、本発明のバグ式集塵機は、筐体の内部を区画壁により区画し、該区画した筐体の一方を含塵空気導入室、他方を浄化空気室とし、区画壁に形成したフィルタ取付穴に含塵空気導入室に配置したフィルタの開口基端部を取り付け、フィルタ内にフィルタ用ケージを挿入するようにするとともに、フィルタ内に圧力気体を噴出することによってフィルタに付着したダストを払い落とすようにする圧力気体導入手段を配設するようにしたバグ式集塵機において、前記フィルタ用ケージに、フィルタの開口基端部側から先端側に向けて縮径するテーパ部を形成したことを特徴とする。
【００１０】
この場合において、前記テーパ部を、フィルタの全長に亘って形成することができる。
【００１１】
また、この場合において、前記テーパ部を、フィルタの開口基端部の近傍域に形成することができる。
【００１２】
また、これらの場合において、前記フィルタに、フィルタの開口基端部側から先端側に向けて縮径するテーパ部を、フィルタ用ケージに形成したテーパ部の位置に合わせて形成することができる。
【００１３】
また、前記フィルタを、均一な径の円筒状に形成することができる。
【発明の効果】
【００１４】
本発明のバグ式集塵機によれば、フィルタ用ケージに、フィルタの開口基端部側から先端側に向けて縮径するテーパ部を形成するから、濾過運転時にフィルタ用ケージのテーパ部に沿った形状となっているフィルタに対して、その傾斜した内周面に、圧力気体の噴出力の径方向の分力を作用させることによって、圧力気体の使用量を増大させなくても、強制的に圧力気体の運動エネルギがダストを払い落とすための波動エネルギに変換され、変換された波動エネルギは、波の波高が大きく、かつ、波長が短くなる方向に作用して当該波をフィルタの先端側まで維持し、ダストの払い落とし効率の優れたバグ式集塵機を提供することができる。
【００１５】
また、前記テーパ部を、フィルタの全長に亘って形成するときは、フィルタを伝播する圧力気体によって生じる波が減衰することがなく、ダストの払い落とし効率を一層向上することができる。
【００１６】
この場合、前記テーパ部を、フィルタの開口基端部の近傍域に形成するときは、フィルタの開口基端部の近傍域で生じる波動エネルギに変換されたフィルタの先端側に向かう圧力気体によって生じる波を、テーパ部とした開口基端部の近傍域で大きく形成し、フィルタの先端側においても維持することができる。
【００１７】
また、前記フィルタに、フィルタの開口基端部側から先端側に向けて縮径するテーパ部を、フィルタ用ケージに形成したテーパ部の位置に合わせて形成するときは、フィルタとテーパ部を有するフィルタ用ケージの形状が一致し、波動エネルギに変換された圧力気体によって生じる波を、容易、かつ、確実にフィルタに伝えることができる。
【００１８】
また、前記フィルタを、均一な径の円筒状に形成するときは、濾過運転でフィルタ内が負圧となることによって、フィルタは、フィルタ用ケージに沿った形状となるため、ノズル穴から圧力気体を噴出する際も、フィルタはフィルタ用ケージに沿った形状であり、運動エネルギから変換される波動エネルギは、フィルタを伝播する圧力気体によって生じる波の波高が大きく、かつ、波長が短くなる方向に作用する。
また、フィルタ用ケージだけを、テーパ部を有する形状として製作することによって、ダストの払い落とし効率の優れたバグ式集塵機を提供することができるから、装置全体のコストダウンを図ることができる。
【発明を実施するための最良の形態】
【００１９】
以下、本発明のバグ式集塵機の実施の形態を、図面に基づいて説明する。なお、従来装置と同様の構造については同一の符号、一連の符号を付し、説明を省略する。
【実施例１】
【００２０】
図１〜図４に、本発明のバグ式集塵機の第１実施例を示す。
このバグ式集塵機１は、筐体２の内部を区画壁３により区画し、該区画した筐体２の一方を含塵空気導入室４、他方を浄化空気室５とし、区画壁３に形成したフィルタ取付穴に含塵空気導入室４に配置したフィルタ７の開口基端部を取り付け、フィルタ７内にフィルタ用ケージ１０を挿入するようにするとともに、フィルタ７内に圧力気体を噴出することによってフィルタ７に付着したダストを払い落とすようにする圧力気体導入手段Ｐを配設するようにし、前記フィルタ用ケージ１０に、フィルタ７の開口基端部側から先端側に向けて縮径するテーパ部Ｔａ、Ｔｂを形成するようにしている。
【００２１】
フィルタ用ケージ１０は、濾過運転時に浄化空気室５の下流側に接続した吸引装置Ｆの吸引力によって生じる負圧でフィルタ７が内部に収縮することを防止し、フィルタ７の形状を保持することができるものであれば、その形状を特に限定されず、本実施例においては、フィルタ７の全長に亘る長さを有する多数の支持バー１０ａと、この支持バー１０ａを所定径に保持するために所定の位置に取り付けられる複数の支持リング１０ｂとを備え、支持バー１０ａの上端を環状のケージプレート１１に取り付けるようにしている。
また、フィルタ用ケージ１０として、パンチングメタルや網状の部材を略円筒状に形成して使用することもできる。
【００２２】
フィルタ用ケージ１０に形成するテーパ部の形成箇所は、特に限定するものではなく、図１〜図３に示すように、フィルタ７の全長に亘って形成する（テーパ部Ｔａ）ほか、図４に示すように、フィルタ７の開口基端部の近傍域に形成する（テーパ部Ｔｂ）ようにしても構わない。
フィルタ用ケージ１０に形成するテーパ部をフィルタ７の開口基端部の近傍域に形成する場合、テーパ部Ｔｂを形成する支持バー１０ａよりもフィルタ７の先端側を形成する支持バー１０ａ’によってストレート部Ｓａを形成する。
【００２３】
フィルタ７の開口基端部の近傍域に形成するテーパ部Ｔｂは、全長が６ｍ程度のフィルタ７の場合、フィルタ７の開口基端部から１〜３ｍの範囲で形成することによって、フィルタ７の開口基端部の近傍域で生じる波動エネルギに変換されたフィルタ７の先端側に向かう圧力気体によって生じる波を、テーパ部Ｔｂとした開口基端部の近傍域で大きく形成し、フィルタ７の先端側においても維持することができる。
なお、この際の波の伝播速度は、１０〜２０ｍ／ｓｅｃ程度の高速なものとなる。
【００２４】
フィルタ７は、区画壁３に形成したフィルタ取付穴に配設した端部を内側に屈曲させた円筒状のフィルタの取付金具１２の内周面に、フィルタ７の開口基端部を拡開する拡開バンドＢの拡開力によって取り付けるようにしている。
そして、図３〜図４に示すように、フィルタ７に、フィルタ７の開口基端部側から先端側に向けて縮径するテーパ部７Ｔａ、７Ｔｂを、フィルタ用ケージ１０に形成したテーパ部Ｔａ、Ｔｂの位置に合わせて形成する。
これによって、フィルタ７とフィルタ用ケージ１０の形状が一致し、運動エネルギから変換される波動エネルギは、フィルタ７を伝播する圧力気体によって生じる波の波高が大きく、かつ、波長が短くなる方向に作用する。
なお、図４に示すように、フィルタ用ケージ１０に形成するテーパ部Ｔｂを、フィルタ７の開口基端部の近傍域に形成し、テーパ部Ｔｂを形成する支持バー１０ａよりもフィルタ７の先端側を形成する支持バー１０ａ’によってストレート部Ｓａを形成する場合は、フィルタ７も、フィルタ用ケージ１０のストレート部Ｓａの位置に合わせてストレート部７Ｓａを形成するようにしている。
【００２５】
そして、図２（ｂ）に示すように、フィルタ７のテーパ部７Ｔａの内周面に、ノズル穴９から噴出される圧力気体の噴出力Ｚの径方向の分力Ｘが作用することによって、圧力気体の運動エネルギがダストを払い落とすための波動エネルギに強制的に変換される。
これによって、フィルタ７の開口基端部側における波の形状は、波高Ｒ１は大きく、波長Ｌ１は短いものとなり、フィルタ７の先端側に向かって生じる波の波高Ｒ１’、Ｒ１”も大きく、波長Ｌ１’、Ｌ１”も短い水準を維持したものとすることができる。
【００２６】
上記構成のバグ式集塵機の使用方法は、常時は、筐体２の浄化空気室５の下流側に接続した吸引装置Ｆの吸引力によりダスト発生源からのダストを含んだ空気は含塵空気導入室４に導かれ、ダストがフィルタ７で濾過され、浄化後の空気が浄化空気室５を介して排出される。
そして、フィルタ７にダストが付着し、通気抵抗が所定値に到達したとき、又は一定時間経過後に定期的に、圧力気体導入手段Ｐの開閉弁Ｖを開閉することにより、インジェクターチューブ８に圧力気体を間欠的に噴出し、インジェクターチューブ８に設けた複数のノズル穴９からフィルタ７の開口基端部に向けて、フィルタ７に付着したダストを払い落とす圧力気体を噴出させる。
【００２７】
このとき、濾過運転時にフィルタ用ケージ１０のテーパ部Ｔａ、Ｔｂに沿った形状となっているフィルタ７のテーパ部７Ｔａ、７Ｔｂに対して、運動エネルギから変換された波動エネルギを生成する分力Ｘが大きく波形状の波高が大きくなる方向に作用し、フィルタ７の先端まで効果的にダストを払い落とすことができる。
【実施例２】
【００２８】
図５に、本発明のバグ式集塵機の第２実施例を示す。
このバグ式集塵機１は、フィルタ７を、均一な径の円筒状に形成するようにしている。
【００２９】
この場合、フィルタ用ケージ１０のテーパ部は、フィルタ７の全長に亘って形成するようにしても構わないが、フィルタ７の先端側のフィルタ用ケージ１０とフィルタ７の内周面との隙間が過大となるため、図５（ａ）〜図５（ｂ）に示すように、フィルタ７の開口基端部の近傍域にテーパ部Ｔｂとして形成することが好ましい。
【００３０】
図５（ａ）に示す、フィルタ用ケージ１０では、フィルタ７の開口基端部からフィルタ７の先端側に向かって次の支持リング１０ｂ’までの間を繋ぐ支持バー１０ａによってテーパ部Ｔｂを形成し、支持リング１０ｂ’からフィルタ７の先端側に向かって次の支持リング１０ｂまでの間を繋ぐ支持バー１０ｃによって逆方向のテーパ部を形成し、支持バー１０ｃよりもフィルタ７の先端側の支持バー１０ａ’によってストレート部Ｓｂを形成するようにしている。
【００３１】
これによって、区画壁３に取り付けた状体のフィルタ７とフィルタ用ケージ１０との間に空間１３が形成させることとなるが、濾過運転でフィルタ７内が負圧となることによって、フィルタ７は、フィルタ用ケージ１０に沿った形状となるため、ノズル穴９から圧力気体を噴出する際も、フィルタ７はフィルタ用ケージ１０に沿った形状であり、運動エネルギから変換される波動エネルギは、その波高が大きく、かつ、波長が短くなる方向に作用し、フィルタ７を伝播する圧力気体によって生じる波をフィルタ７の先端側まで維持し、ダストの払い落とし効率が優れたバグ式集塵機を提供することができる。
【００３２】
また、図５（ｂ）に示す、フィルタ用ケージ１０では、図５（ａ）に示す、フィルタ用ケージ１０の逆方向のテーパ部を形成する支持バー１０ｃを配設することなく、テーパ部Ｔｂを形成する支持バー１０ａよりもフィルタ７の先端側に向かう支持バー１０ａ’によってストレート部Ｓａを形成するようにしている。
【００３３】
この場合、区画壁３に取り付けた状態のフィルタ７とフィルタ用ケージ１０との間に生じる空間１３’がフィルタ７の先端側まで広く形成させることとなるが、濾過運転によってフィルタ７は、フィルタ用ケージ１０に沿った形状となるため、ノズル穴９から圧力気体を噴出する際も、フィルタ７はフィルタ用ケージ１０に沿った形状であり、運動エネルギから変換される波動エネルギは、その波高が大きくなる方向に作用し、フィルタ７を伝播する圧力気体によって生じる波をフィルタ７の先端側まで維持し、ダストの払い落とし効率が優れたバグ式集塵機を提供することができる。
【００３４】
なお、本実施例のその他の構成及び作用は、上記第１実施例と同様である。
【００３５】
以上、本発明のバグ式集塵機について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３６】
本発明のバグ式集塵機は、圧力気体の使用量を増大させることなく、フィルタを伝播する圧力気体によって生じる波をフィルタの先端側まで維持することができるという特性を有していることから、フィルタ内に圧力気体を噴出することによってフィルタに付着したダストを払い落とすようにする圧力気体導入手段を配設するようにしたバグ式集塵機の用途に好適に用いることができる。
また、適用対象も、新規のバグ式集塵機のほか、既設のバグ式集塵機に対しても、フィルタ用ケージ等を変更することによって適用を可能にすることができる。
【図面の簡単な説明】
【００３７】
【図１】本発明のバグ式集塵機の実施例を示す一部断面の正面図である。
【図２】同バグ式集塵機のフィルタ用ケージ及びフィルタのテーパ部の説明図で、（ａ）は図１のＸ−Ｘ断面図、（ｂ）は圧縮気体の噴出力がフィルタに及ぼす分力の説明図である。
【図３】同バグ式集塵機のフィルタ用ケージ及びフィルタのテーパ部を示す一部切り欠きの正面断面図である。
【図４】同フィルタ用ケージ及びフィルタのテーパ部の変形例を示し、（ａ）は一部切り欠きの正面断面図、（ｂ）は同フィルタの斜視図である。
【図５】同バグ式集塵機の第２実施例を示し、（ａ）はフィルタ用ケージ及びフィルタのテーパ部を説明する一部切り欠きの正面断面図、（ｂ）は別のフィルタ用ケージ及びフィルタのテーパ部を説明する一部切り欠きの正面断面図
【図６】従来のバグ式集塵機の実施例を示す一部断面の正面図である。
【図７】同バグ式集塵機のフィルタ用ケージ及びフィルタの説明図で、図６のＹ−Ｙ断面図である。
【図８】同バグ式集塵機のフィルタ用ケージ及びフィルタを示す一部切り欠きの正面断面図である。
【符号の説明】
【００３８】
１    バグ式集塵機
２    筐体
３    区画壁
４    含塵空気導入室
５    浄化空気室
７    フィルタ
７Ｔａ  フィルタのテーパ部
７Ｔｂ  フィルタのテーパ部
１０  フィルタ用ケージ
１０ａ  支持バー
１０ｂ  支持リング
Ｔａ  テーパ部
Ｔｂ  テーパ部
【図１】
2010099582.tif 000003
【図２】
2010099582.tif 000004
【図３】
2010099582.tif 000005
【図４】
2010099582.tif 000006
【図５】
2010099582.tif 000007
【図６】
2010099582.tif 000008
【図７】
2010099582.tif 000009
【図８】
2010099582.tif 000010